(57)【要約】【課題】温風暖房と輻射暖房を切り替えられる暖房機において、電気ヒータ等の電気通電による加熱暖房手段を付加し、快適な暖房効果を得ることを目的としたものである。【解決手段】燃焼部２１で生じた高温ガスを高温ガス切替手段３３で輻射体２３側か温風吹出口３０側へ切り替えることによって、輻射暖房か温風暖房へ簡単に切り替えることができようにし、かつ電気通電による加熱暖房手段を配設した構成とし、単独運転あるいは同時運転を使い分けることで、使用状況に応じた使い方ができるようにし、快適性の高い暖房機の実現を図ったものである。【選択図】  図１
2004286342.tif 000002
【特許請求の範囲】
【請求項１】
気化部を加熱する気化ヒータと、気化部からの燃料気化ガスを燃焼させる燃焼部と、燃焼部で生じた高温ガスにより加熱される採熱面を有しその採熱した熱を輻射エネルギーとして発生する輻射体と、空気流を供給する送風手段と、前記送風手段からの空気流と燃焼部からの高温ガスを混合して温風として排出する温風吹出口と、前記燃焼部で生じた高温ガスを輻射体側あるいは温風吹出口側へ切り替える高温ガス切替手段と、吸引した室内空気を機器の前方上方に排出する循環送風手段と、電気通電による加熱暖房手段と、運転条件等を設定する操作部と、操作部で設定された条件に基づいて機器の燃焼部等を制御する制御部とを備え、前記高温ガス切替手段を輻射体側に切り替えたとき輻射暖房モードとし、温風吹出口側に切り替えたとき温風暖房モードとし、前記加熱暖房手段を作動させたとき電気暖房モードとし、前記制御器は前記操作部の指示に基づき前記各暖房モードの単独運転あるいは同時運転を行なうようにした暖房装置。
【請求項２】
輻射暖房モード時は、循環送風手段により機器の前方上方に室内空気を排出して循環流を形成してなる請求項１記載の暖房装置。
【請求項３】
加熱暖房手段を循環流排出口の下部に位置させ、電気暖房モード時に前記加熱暖房手段からの熱の一部あるいは全部を循環送風手段からの室内空気流と混合するようにした請求項１または２記載の暖房装置。
【請求項４】
加熱暖房手段は、輻射体を加熱するように輻射体近傍あるいは密着させるように配設した請求項１または２記載の暖房装置。
【請求項５】
制御部は、電気暖房モードと他の暖房モードとの同時運転時、気化部を加熱する気化ヒータと電気通電による加熱暖房手段を同時に通電できないようにする通電制御部を有した請求項１〜４のいずれか１項記載の暖房装置。
【請求項６】
制御部は、電気暖房モードと他の暖房モードとの同時運転時、気化ヒータと加熱暖房手段の通電が重なったとき、気化ヒータと加熱暖房手段の通電を交互に通電するようにした通電制御部を有する請求項１〜５のいずれか１項記載の暖房装置。
【請求項７】
制御部は、電気暖房モードと他の暖房モードとの同時運転時、気化部を加熱する気化ヒータと電気通電による加熱暖房手段が同時に通電されるとき、気化ヒータの通電量と加熱暖房手段の通電量が所定量を超えないように、気化ヒータの通電量と加熱暖房手段の通電量のどちらか一方あるいは両方の通電量を制限する通電制御部を有する請求項１〜４のいずれか１項記載の暖房装置。
【請求項８】
加熱暖房手段の暖房能力は、最大燃焼時の燃焼部で生じる燃焼熱による暖房能力のおよそ１／２あるいはそれ以下とした請求項１〜７のいずれか１項記載の暖房装置。
【発明の詳細な説明】
【０００１】
【発明の属する技術分野】
本発明は、輻射暖房と温風暖房と電気暖房を用いた暖房装置に関するものである。
【０００２】
【従来の技術】
温風による暖房は、部屋が寒いときなどに一気に室温を立ち上げるときは有効であり、また、輻射による暖房は室内全体は暖まるのに時間がかかるが、気流感を感じない暖房として根強い人気がある。そして、近年、暖房使用者の要求は、温風が巻き上げるダニの糞等のアレルゲン物質の問題もあり、温風を使った暖房では気流感が嫌われる傾向が生じてきた。
【０００３】
そこで、下記に示すような輻射熱と温風を用いた暖房装置の開発がなされた。図６〜図８を用いて説明すると、１は燃料を燃焼させる燃焼部で、この燃焼部１で生じた燃焼排ガスを上方へ導くように配設した燃焼筒２で覆われていて、この燃焼部１と燃焼筒２で高温ガスを発生させる高温ガス発生手段を形成している。
【０００４】
３は、輻射体加熱風路４を流れる高温の燃焼排ガスをその採熱面５で採熱し、その採熱した熱を輻射エネルギーとして発生する輻射体である。
【０００５】
６は、輻射体加熱風路４と機器筐体７の間に空気流を流し、輻射暖房運転時に機器筐体７への熱伝導を低減する輻射手段冷却風路で、この輻射手段冷却風路６を流れる空気流を機器の前方上方へ排出して、部屋の空気の循環流を形成するようにしてある。
【０００６】
８は、輻射手段冷却風路６下方に位置させ、輻射体３の下部に配置した温風吹出口で、燃焼部１生じた燃焼排ガスと室内空気流を混合して温風とし排出するようになっている。
【０００７】
９は、室内空気を空気流として供給する送風手段で、この空気流は本体冷却風路１０を介して高温ガス切替手段１１で、輻射手段冷却風路６側かあるいは温風吹出口８側へ切り替えられ、流れていくようになっている。
【０００８】
１２は、機器の運転条件を設定する操作部で、高温ガス切替手段１１で燃焼部１で生じた高温ガスを輻射体３側かあるいは温風吹出口８側へ切り替える手動切替ボタン１３と、予め設定された条件に基づいて輻射暖房運転と温風暖房運転を自動的に切り替える自動切替ボタン１４を有している。
【０００９】
１５は制御部で、上記送風手段９の吸い込み口に配設し機器で部屋の代表温度として温度検出する温度検出手段１６で検知した室温や操作部で設定された運転条件等に基づいて送風手段８や高温ガス切替手段１１をあらかじめ決められたシーケンスでコントロールするようにしてある。
【００１０】
上記した構成において、高温ガス切替手段１１で送風手段９からの空気流を輻射手段冷却風路６側へ切り替えたときには輻射暖房運転となり、輻射手段冷却風路６の入り口を開口し、送風手段９からの空気流が輻射手段冷却風路６へ流れ、燃焼部１で生じた燃焼排ガスは、下方へ流れる力が働かなり、燃焼筒２の上方へ流れていき、その熱によるドラフトでさらに上方へ流れ、輻射体加熱風路４へ導かれるようになる。
【００１１】
そして、燃焼部１で生じた高温の燃焼排ガスで輻射体３の採熱面５を高温とし、その採熱面５で採熱した熱を輻射体３より輻射エネルギーとして発生し、輻射暖房をすることができるようになる。またそれと同時に、輻射手段冷却風路６へ流れた空気流が機器の前方上方へ排出され、部屋の空気の循環流を形成するようにしてあるので、室内の空気が循環して部屋全体の空気が混ざり合い、輻射のみの暖房に比べ、部屋全体温度がほぼ均一となり暖房感が向上する。
【００１２】
さらに、循環流も機器の上方に排出するようにしてあるので、機器の上方に気流感があるだけで、機器の前方つまり使用者の居住空間には気流感がなく、気流による不快感を使用者が感じることがなくなり暖房感が向上する。
【００１３】
また、高温ガス切替手段１１で送風手段９からの空気流を温風吹出口８側へ切り替えたときには温風暖房運転となり、輻射手段冷却風路６の入り口を閉塞して、送風手段９からの空気流が燃焼筒２の前面下方へ流れ燃焼部１で生じた燃焼排ガスを温風吹出口８側へ導き、送風手段９からの空気流と燃焼部１で生じた燃焼排ガスを混合して、温風として温風吹出口８からを排出する温風暖房をすることができるようになる。
【００１４】
また、制御部１５は、温度検出手段１６で検知した室温や操作部１２で設定された手動運転モード切替手段１３や自動運転モード切替手段１４等の運転条件等に基づいて送風手段８や高温ガス切替手段１１をあらかじめ決められたシーケンスで制御するようになっている（例えば、特許文献１参照）。
【００１５】
【特許文献１】
特開２００１−１５０６１号公報（第４頁、第１図〜３図）
【００１６】
【発明が解決しようとする課題】
しかしながら上記従来の構成においては、燃料を気化させる気化部は安定した燃料の気化を得るためには所定温度以上に保持しなくてはならず、燃焼部１の燃焼開始に立ち上がり時間を要するので、暖房開始まで時間がかかり、その間使用者は暖房を我慢しなければならないことや、また燃料を必要とするので、油切れの心配があり、例えば夜間に油切れすると、暗くて寒い場所での給油となり大変であり暖房したいけど給油が面倒になるなど、使い勝手が悪いという課題があった。
【００１７】
さらに、暖房機を長時間使用した場合、室内の空気を使って燃焼部１の燃焼を継続することになり密閉した室内では酸素が消費され、酸素濃度が低くなる、即ち酸欠状態となり燃焼部１の燃焼条件が悪化して燃焼排ガス特性が悪くなったり、燃焼部１で生じた燃焼排ガスが室内に排出されるので、長時間使用すると室内空気の汚染する心配があった。そのため、使用者に注意を促すため、所定時間毎に延長操作をしないと運転停止するようになっていて、夜間の就寝時に暖房が停止して、室温が下がり寒くなるなど、やはり、使い勝手が悪いという課題があった。
【００１８】
そこで、燃料の燃焼熱にたよらない電気ヒータ等の電気通電による加熱暖房手段だけで部屋全体を暖房しようとすると、電気容量の関係で加熱暖房手段の能力を大きいものとすることができず室内全体を暖房する能力がなく、また灯油等の燃料を燃焼させる方式のものに比べ電気通電方式はランニングコストが高くつくという課題があった。
【００１９】
そこで本発明は、温風暖房と輻射暖房を切り替えられる暖房機において、電気ヒータ等の電気通電による加熱暖房手段を付加し、相乗効果で使い勝手の向上を図り、快適性の高い暖房機の実現を目的としたものである。
【００２０】
【課題を解決するための手段】
本発明は上記課題を解決するため、気化部を加熱する気化ヒータと、気化部からの燃料気化ガスを燃焼させる燃焼部と、燃焼部で生じた高温ガスにより加熱される採熱面を有しその採熱した熱を輻射エネルギーとして発生する輻射体と、空気流を供給する送風手段と、前記送風手段からの空気流と燃焼部からの高温ガスを混合して温風として排出する温風吹出口と、前記燃焼部で生じた高温ガスを輻射体側あるいは温風吹出口側へ切り替える高温ガス切替手段と、吸引した室内空気を機器の前方上方に排出する循環送風手段と、電気通電による加熱暖房手段と、運転条件等を設定する操作部と、操作部で設定された条件に基づいて機器の燃焼部等を制御する制御部とを備え、前記高温ガス切替手段を輻射体側に切り替えたとき輻射暖房モードとし、温風吹出口側に切り替えたとき温風暖房モードとし、前記加熱暖房手段を作動させたとき電気暖房モードとし、前記制御器は前記操作部の指示に基づき前記各暖房モードの単独運転あるいは同時運転を行なうようにしたものである。
【００２１】
上記発明によれば、燃焼部で生じた高温ガスを高温ガス切替手段で輻射体側か温風吹出口側へ切り替えることによって、輻射暖房か温風暖房へ簡単に切り替えることができ、使用状況に応じた使い方ができるようになり、快適性の高い暖房機の実現ができるようになる。
【００２２】
また、燃焼部で生じた高温ガスを輻射体側へ切り替えた輻射暖房モード時においても、機器の上部に位置させ室内の空気を吸引し機器の前方上方に排出して空気流を生じさせる循環送風手段を配設してあるので、室内の空気が循環して部屋全体の空気が混ざり合い、輻射のみの暖房に比べ、部屋全体温度がほぼ均一となり暖房感が大幅に向上する。
【００２３】
さらに、循環流も機器の上方に排出するようにしてあるので、機器の上方に気流感があるだけで、機器の前方つまり使用者の居住空間には気流感がなく、気流による不快感を使用者が感じることがなくなり暖房感が向上する。
【００２４】
そして、電気通電による加熱暖房手段を配設してあるので、電気暖房モードにすることによって、燃焼部の燃焼開始に立ち上がり時間中も部屋全体の暖房には不十分ながらも局部暖房により使用者は採暖でき、また、油切れした場合においても、電気通電による加熱暖房手段を作動させることによって、当面の暖房ができ、例えば夜間に油切れしても、翌日に給油を延期して電気ヒータによる暖房でしのぐことができるなど、使い勝手が増す。
【００２５】
また、夜間の就寝時に燃焼による暖房から電気通電による加熱暖房手段の暖房に切り替えることで、室内の空気を汚染することなく長時間暖房することができ、夜間の就寝時に暖房が停止して、室温が下がり寒くなるなどの心配が無くなり、安全性が増すと同時に、やはり、使い勝手が大幅に増す。
【００２６】
ここで、部屋の暖房について言及すると、暖房開始時は部屋の空気を暖める分と、家具などや天井、床や壁などを暖めるのに必要な部屋の熱容量の分と、そして部屋の周囲に熱が逃げる分を補う分が必要なため、部屋全体を充分暖めるのには大きな暖房能力が必要となり、特に部屋にある家具などや天井、床や壁などを暖めるには大きな暖房能力が必要で、この上述の暖房能力に暖房機の暖房能力が足らないと、いつまでたっても部屋が暖まらない。
【００２７】
しかしながら、一度部屋が暖まるとあとは部屋の周囲に熱が逃げる分だけでよいので、小さな暖房能力で充分であり、つまり、部屋を充分暖めておけば、燃料の燃焼熱にたよらない電気ヒータ等の電気通電による加熱暖房手段だけでも、部屋の暖房はできるようになり、特に、部屋が充分暖まった夜間の就寝時は使用者が布団などを用いるので、さらに暖房能力を下げて使用でき、上述の夜間に油切れ時の使用や就寝時の使用に、電気ヒータ等の電気通電による加熱暖房手段が有効となり、使い勝手が増す。
【００２８】
さらに、電気ヒータ等の電気通電による加熱暖房手段を長時間継続すると、室内の暖かい空気が天井に上がり、暖房感が劣化する心配があるが、上述の循環送風手段を配設してあるので、室内の空気が循環して部屋全体の空気が混ざり合い、部屋全体温度がほぼ均一となり暖房感が大幅に向上する。
【００２９】
【発明の実施の形態】
請求項１記載の暖房装置は、気化部を加熱する気化ヒータと、気化部からの燃料気化ガスを燃焼させる燃焼部と、燃焼部で生じた高温ガスにより加熱される採熱面を有しその採熱した熱を輻射エネルギーとして発生する輻射体と、空気流を供給する送風手段と、前記送風手段からの空気流と燃焼部からの高温ガスを混合して温風として排出する温風吹出口と、前記燃焼部で生じた高温ガスを輻射体側あるいは温風吹出口側へ切り替える高温ガス切替手段と、吸引した室内空気を機器の前方上方に排出する循環送風手段と、電気通電による加熱暖房手段と、運転条件等を設定する操作部と、操作部で設定された条件に基づいて機器の燃焼部等を制御する制御部とを備え、前記高温ガス切替手段を輻射体側に切り替えたとき輻射暖房モードとし、温風吹出口側に切り替えたとき温風暖房モードとし、前記加熱暖房手段を作動させたとき電気暖房モードとし、前記制御器は前記操作部の指示に基づき前記各暖房モードの単独運転あるいは同時運転を行なうようにしたものである。
【００３０】
そして、燃焼部で生じた高温ガスを高温ガス切替手段で輻射体側か温風吹出口側へ切り替えることによって、輻射暖房モードあるいは温風暖房モードへ簡単に切り替えることができ、かつ加熱暖房手段を作動させることで速暖効果のある電気暖房モードにすることができ、単独運転あるいは同時運転が可能となるため、使用状況に応じた使い方ができるようになり、快適性の高い暖房機の実現ができるようになる。
【００３１】
請求項２記載の暖房装置は、輻射暖房モード時は、循環送風手段により機器の前方上方に室内空気を排出して循環流を形成するようにしてある。
【００３２】
そして、高温ガス切替手段で送風手段からの室内空気流の流れを切り替えて輻射体側に高温ガスの流れるようにした輻射暖房モード時に、機器の上部に位置させた循環流排出口より送風手段からの室内空気流の流れを前方上方に排出して空気流を生じさせるようにして循環送風手段を形成する構成としてあり、循環送風手段を送風手段で兼ねることができ、簡単な構成で快適性の高い暖房装置を実現することができる。
【００３３】
請求項３記載の暖房装置は、加熱暖房手段を循環流排出口の下部に位置させ、電気暖房モード時に前記加熱暖房手段からの熱の一部あるいは全部を循環送風手段からの室内空気流と混合するようにしてある。
【００３４】
そして、電気通電による加熱暖房手段は、循環流排出口の下部に位置させ、加熱暖房手段からの熱の一部あるいは全部を循環送風手段の室内空気流の流れで循環させるようにしてあるので、加熱暖房手段からの熱は積極的に環送風手段の室内空気流の流れで循環して部屋全体の空気が混ざり合い、加熱暖房手段だけの暖房に比べ、部屋全体温度がほぼ均一となり暖房感が大幅に向上する。
【００３５】
請求項４記載の暖房装置は、加熱暖房手段は、輻射体を加熱するように輻射体近傍あるいは密着させるように配設してある。
【００３６】
そして、電気通電による加熱暖房手段は、輻射体を加熱するように輻射体近傍に配設あるいは密着するようにしてあるので、加熱暖房手段の作動によって、輻射体は加熱され輻射量が増すようになり、つまり、加熱暖房手段の熱が広い面を有する輻射体に伝わって輻射熱として放射されるようになり、暖房感が向上する。
【００３７】
請求項５記載の暖房装置は、制御部は、電気暖房モードと他の暖房モードとの同時運転時、気化部を加熱する気化ヒータと電気通電による加熱暖房手段を同時に通電できないようにする通電制御部を有した構成としてある。
【００３８】
そして、制御部は、気化部を加熱する気化ヒータと電気通電による加熱暖房手段を同時に通電出来ないようにする通電制御部を有するので、気化部を加熱する気化ヒータと電気通電による加熱暖房手段の通電が同時におこらず最大の通電量が、気化部を加熱する気化ヒータかあるいは電気通電による加熱暖房手段の通電量の大きい方となり、この通電量の大きい方に応じて、電源コードなどの電気部品の電気容量を設定すればよいこととなる。
【００３９】
つまり、気化部を加熱する気化ヒータかあるいは電気通電による加熱暖房手段のどちらか一方の通電となるため、電気容量のさほど大きいものとする必要が無くなり、電気容量が大きくなることに対する安全率のマージンを大きくすることができるとともに、構成の簡素化と低安価を実現することができる。
【００４０】
請求項６記載の暖房装置は、制御部は、電気暖房モードと他の暖房モードとの同時運転時、気化ヒータと加熱暖房手段の通電が重なったとき、気化ヒータと加熱暖房手段の通電を交互に通電するようにした通電制御部を有する構成としてある。
【００４１】
そして、制御部は、気化部を加熱する気化ヒータと電気通電による加熱暖房手段が同時に通電しないように、気化ヒータと加熱暖房手段の通電が重なったとき、気化ヒータと加熱暖房手段の通電を交互に通電するようにした通電制御部を有する構成としてあり、簡単な構成で請求項５と同様の安全性の高い暖房装置を実現することができる。
【００４２】
請求項７記載の暖房装置は、制御部は、電気暖房モードと他の暖房モードとの同時運転時、気化部を加熱する気化ヒータと電気通電による加熱暖房手段が同時に通電されるとき、気化ヒータの通電量と加熱暖房手段の通電量が所定量を超えないように、気化ヒータの通電量と加熱暖房手段の通電量のどちらか一方あるいは両方の通電量を制限する通電制御部を有する構成としてある。
【００４３】
そして、制御部は、気化部を加熱する気化ヒータと電気通電による加熱暖房手段が同時に通電されるとき、気化ヒータの通電量と加熱暖房手段の通電量が所定量を超えないように、気化ヒータの通電量と加熱暖房手段の通電量のどちらか一方あるいは両方の通電量を制限する通電制御部を有する構成としてあるので、気化部を加熱する気化ヒータと電気通電による加熱暖房手段が同時に通電されても、最大の通電量が制限できるようになる。
【００４４】
つまり、請求項５と同様に機器の最大電気容量を下げる効果が得られ、電気容量を小さい設定に出来、例えば電源コードなどの電気部品を低い電気容量に設定することが出来、電気容量の大きなものとする必要が無くなり、電気容量が大きくなることに対する安全率のマージンを大きくすることができるとともに構成を簡単とすることが出来、安価にすることができる。
【００４５】
また、気化ヒータと加熱暖房手段の通電が重なったとき、気化ヒータや加熱暖房手段の通電を交互に通電するなど比較的電気容量の大きい気化ヒータと加熱暖房手段の通電を間欠にすると、通電によって生じる電源電圧低下が、通電のＯＮとＯＦＦによって、生じたり生じなかったりして、つまり小刻みな電源電圧の変動をするようになるので、例えば同じコンセントからとっている電灯などはその明るさが変化しちらついたりする心配を生じる。
【００４６】
しかしながら、通電制御部は気化ヒータの通電量と加熱暖房手段の通電量が所定量を超えないように、気化ヒータの通電量と加熱暖房手段の通電量のどちらか一方あるいは両方の通電量を制限するようにしてあるので、気化ヒータと加熱暖房手段の通電を交互に通電するために生じる通電のＯＮとＯＦＦがないため、小刻みな電源電圧の変動がなく、例えば電球などはその明るさが変化しちらついたりする心配がなくなり、使い勝手が増すようになる。
【００４７】
請求項８記載の暖房装置は、加熱暖房手段の暖房能力は、最大燃焼時の燃焼部で生じる燃焼熱による暖房能力のおよそ１／２あるいはそれ以下としてある。
【００４８】
そして、電気通電による加熱暖房手段の暖房能力は、最大燃焼時の燃焼部で生じる熱による暖房能力のおよそ１／２あるいはそれ以下としてあるので、燃焼による暖房で部屋が十分に暖まった状態から、電気通電による加熱暖房手段の暖房に切り替えても、部屋を暖めすぎることはなく、部屋に適した暖房をすることが出来、省エネルギー化を図ることが出来る。
【００４９】
ここで、「（社）日本ガス石油機器工業会の統一基準による暖房の目やす」で云われている暖房適室の基準値は、定常値の暖房負荷値に、暖房開始時の立上り時間及び厳寒時の余力を勘案して２倍にして算出されている。そして、この暖房適室から考察すると、部屋が十分に暖まったときに必要な暖房能力は、暖房開始時の立上り時間及び厳寒時の余力を勘案しなくてよいので、最大燃焼時の燃焼部で生じる熱による暖房能力のおよそ１／２あるいはそれ以下でよいこととなる。
【００５０】
特に部屋が充分暖まった夜間の就寝時は使用者が布団などを用いるので、さらに暖房能力を下げて使用するので、機器の暖房能力は小さくてすみ、即ち、電気通電による加熱暖房手段の暖房能力を燃焼部で生じる熱による暖房能力のおよそ１／２あるいはそれ以下とすることで、部屋に適した暖房をすることが出来、省エネルギー化を図ることが出来るようになる。
【００５１】
【実施例】
以下、本発明の実施例について図面を用いて説明する。
【００５２】
（実施例１）
図１は本発明の実施例１の暖房装置の輻射暖房モード時の断面図、図２は温風暖房モード時の断面図、図３は制御ブロック図である。
【００５３】
まず、暖房装置の暖房運転について説明すると、図１〜図２において、２１は燃料を燃焼させる燃焼部で、この燃焼部２１で生じた燃焼排ガスを上方へ導くように配設した燃焼筒２２で覆われていて、この燃焼部２１と燃焼筒２２で高温ガスを発生させる高温ガス発生手段を形成している。
【００５４】
２３は、輻射体加熱風路２４を流れる高温の燃焼排ガスの熱をその採熱面２５で採熱し、その採熱した熱を輻射エネルギーとして発生する輻射体である。
【００５５】
２６は、輻射体加熱風路２４と機器筐体２７の間に空気流を流し、輻射暖房運転時に機器筐体２７への熱伝導を低減する輻射手段冷却風路で、この輻射手段冷却風路２６を流れる空気流を循環流排出口２８を介して機器の前方上方へ排出して、部屋の空気の循環流を形成するようにしてある。
【００５６】
２９は、循環流排出口２８の下部に位置させて設けた電気通電による加熱暖房手段の電気ヒータで、コイル状に巻いた電熱線の周囲に石英管ガラスが配設してあり、この電熱線に通電することにより電熱線を高温に加熱し、発生した熱は石英管ガラスを介して輻射熱と周囲の空気を暖めようになっている。
【００５７】
３０は、輻射手段冷却風路２６下方に位置させ、輻射体２３の下部に配置した温風吹出口で、燃焼部２１生じた燃焼排ガスと室内空気流を混合して温風として排出するようになっている。
【００５８】
３１は、室内空気を空気流として供給する送風手段で、この空気流は本体冷却風路３２を介して高温ガス切替手段３３で、輻射手段冷却風路２６側かあるいは温風吹出口３０側へ切り替えられ、流れていくようになっている。
【００５９】
つぎに図３で操作部と制御部について説明すると、３４は、機器の運転条件を設定する操作部で、燃焼部で燃焼をさせて暖房運転を開始・停止させる燃焼運転スイッチ３５と、電気ヒータ２９をＯＮ／ＯＦＦさせる電気ヒータ運転スイッチ３６と、暖房能力を設定する温度設定手段３７等を有している。
【００６０】
３８は制御部で、送風手段３１の吸い込み口に配設し部屋の代表温度として温度検出する温度検出手段３９で検知した室温や操作部で設定された運転条件等に基づいて燃料を気化させる気化部（図示せず）を加熱する気化ヒータ４０や、電気通電による加熱暖房手段の電気ヒータ２９や、送風手段２８そして高温ガス切替手段３３等をあらかじめ決められたシーケンスで制御するようにしてある。
【００６１】
また、制御部３８には、気化部を加熱する気化ヒータ４０と電気ヒータ２９の通電をコントロールする通電制御部４１が配設してある。
【００６２】
そしてまた、電気通電による加熱暖房手段の電気ヒータ２９の暖房能力は最大燃焼時の燃焼部で生じる熱による暖房能力のおよそ１／２とあり、例えば、最大燃焼時の燃焼部で生じる熱による暖房能力を２．５ｋｗ、電気ヒータ２９の暖房能力を１．２ｋｗとしてあり、機器２７の最大電気容量はこの電気ヒータ２９に気化部を加熱する気化ヒータ４０や送風手段３１などで使用される分の合計となっている。
【００６３】
上記した構成において、高温ガス切替手段３３で送風手段３１からの空気流を輻射手段冷却風路２６側へ切り替えたときには輻射暖房モードとなり、輻射手段冷却風路２６の入り口を開口し、送風手段３１からの空気流が輻射手段冷却風路２６へ流れ、燃焼部２１で生じた燃焼排ガスは、下方へ流れる力が働かなり、燃焼筒２２の上方へ流れていき、その熱によるドラフトでさらに上方へ流れ、輻射体加熱風路２４へ導かれるようになる。
【００６４】
そして、燃焼部２１で生じた高温の燃焼排ガスで輻射体２３の採熱面２５を高温とし、その採熱面２５で採熱した熱を輻射体２３より輻射エネルギーとして発生し、輻射暖房をすることができるようになる。またそれと同時に、輻射手段冷却風路２６へ流れた空気流が機器２７の前方上方へ排出され、部屋の空気の循環流を形成するようにしてあるので、室内の空気が循環して部屋全体の空気が混ざり合い、輻射のみの暖房に比べ、部屋全体温度がほぼ均一となり暖房感が向上する。
【００６５】
さらに、循環流も機器２７の上方に排出するようにしてあるので、機器２７の上方に気流感があるだけで、機器２７の前方つまり使用者の居住空間には気流感がなく、気流による不快感を使用者が感じることがなくなり暖房感が向上する。
【００６６】
また、高温ガス切替手段３３で送風手段３１からの空気流を温風吹出口３０側へ切り替えたときには温風暖房モードとなり、輻射手段冷却風路２６の入り口を閉塞して、送風手段３１からの空気流が燃焼筒２２の前面下方へ流れ燃焼部２１で生じた燃焼排ガスを温風吹出口３０側へ導き、送風手段３１からの空気流と燃焼部２１で生じた燃焼排ガスを混合して、温風として温風吹出口３０からを排出する温風暖房をすることができるようになる。
【００６７】
このように高温ガス切替手段３３で送風手段３１からの空気流を輻射手段冷却風路２６側か温風吹出口３０側へ切り替えることによって、輻射暖房モードあるいは温風暖房モードへ簡単に切り替えることが出来、使用状況に応じた使い方ができるようになり、快適性の高い暖房機の実現ができるようになる。
【００６８】
また、制御部３８は、温度検出手段３９で検知した室温や操作部３４で設定された温度設定手段３７等の運転条件等に基づいて送風手段２８や高温ガス切替手段３３や電気通電による加熱暖房手段の電気ヒータ２９をあらかじめ決められたシーケンスで制御するようになっている。
【００６９】
なお、使用者が燃焼運転スイッチ３５や電気ヒータ運転スイッチ３６や温度設定手段３７等を操作して、室温や暖房能力を設定する温度設定手段３７で設定された設定温度など操作部３４で設定された運転条件等に基づいて輻射暖房モードか温風暖房モードか電気ヒータ２９による電気暖房モードか、あるいは前記各暖房モードの組み合わせかを自動的に切り替えるようにしてもよく、手動でそれぞれの暖房モ−ドに切り替えられるようにしてもよく、輻射暖房と電気ヒータ２９による電気暖房を同時に行うようにしてもよく、また、温風暖房と電気ヒータ２９による電気暖房を同時に行うようにしてもよく、どのように燃焼による輻射暖房と温風暖房と電気ヒータ２９による電気暖房を組み合わせてもよいものである。
【００７０】
そして、制御部３８の通電制御部４１は、気化部を加熱する気化ヒータ４０と電気ヒータ２９が同時に通電しないように、気化ヒータ４０と電気ヒータ２９の通電が重なったとき、例えば燃焼運転スイッチ３５と電気ヒータ運転スイッチ３６が同時に押されたなど気化部の温度が充分に温度上昇していない燃焼開始時に電気ヒータ２９がＯＮされた場合に、気化ヒータ４０と電気ヒータ２９への交互に通電をするようにコントロールするようになっている。
【００７１】
ここで、電気通電による加熱暖房手段の電気ヒータ２９を配設してあるので、暖房開始時に電気ヒータ２９を通電し電気暖房モードにすることによって、燃焼部の燃焼開始に立ち上がり時間中も部屋全体の暖房には不十分ながらも暖房をすることができ、使用者は手を電気ヒータ２９に翳すことで採暖でき、また、油切れした場合においても、電気ヒータ２９を通電することによって、当座の暖房ができ、例えば夜間に油切れしても、翌日に給油を延期して電気ヒータで暖房でしのぐことができるなど、使い勝手が増す。
【００７２】
さらに、夜間の就寝時に燃焼による暖房から電気ヒータ２９の暖房に切り替えることで、室内の空気を汚染することなく長時間暖房することができ、夜間の就寝時に暖房が停止して、室温が下がり寒くなるなどの心配が無くなり、安全性が増すと同時に、やはり、使い勝手が大幅に増す。
【００７３】
ここで、部屋の暖房について言及すると、暖房開始時は部屋の空気を暖める分と、家具などや天井・床や壁など暖めるのに必要な部屋の熱容量の分と、そして部屋の周囲に熱が逃げる分を補う分が必要なため、部屋全体を充分暖めるのには大きな暖房能力が必要となり、特に部屋にある家具などや天井・床や壁などを暖めるには大きな暖房能力が必要で、この上述の暖房能力に暖房機の暖房能力が足らないと、いつまでたっても部屋が暖まらない。
【００７４】
しかしながら、暖房機の暖房能力は一度部屋が暖まるとあとは部屋の周囲に熱が逃げる分だけでよいので、小さな暖房能力で充分であり、つまり、部屋を充分暖めておけば、燃料の燃焼熱にたよらない電気通電による加熱暖房手段例えば電気ヒータ２９だけでも、部屋の暖房は出来るようになり、特に、部屋が充分暖まった夜間の就寝時は使用者が布団などを用いるので、さらに暖房能力を下げて使用でき、上述の夜間に油切れ時の使用や就寝時の使用に、電気ヒータ２９が有効となり、使い勝手が増す。
【００７５】
さらに、電気ヒータ２９のみの運転を長時間継続すると、室内の暖かい空気が天井に上がり、暖房感が劣化する心配があるが、送風手段３１の空気流で部屋の空気の循環流を形成してあるので、室内の空気が循環して部屋全体の空気が混ざり合い、電気ヒータ２９だけの暖房に比べ部屋全体温度がほぼ均一となり暖房感が大幅に向上する。
【００７６】
そしてまた、電気ヒータ２９によって生じる熱は、その内の約２５％が輻射エネルギーとして輻射され、また残りは周囲の空気を暖め上昇して対流によって暖めるが、電気ヒータ２９は、循環流排出口２８の下部に位置させ、電気ヒータ２９からの熱の一部を送風手段３１の室内空気流の流れで循環させるようにしてあるので、電気ヒータ２９からの熱は積極的に送風手段３１の室内空気流の流れで循環してますます部屋全体の空気が混ざり合い、部屋全体温度がほぼ均一となり暖房感が大幅に向上する。
【００７７】
さらに、制御部３８は、気化部を加熱する気化ヒータ４０と電気ヒータ２９を同時に通電出来ないように交互に通電するようにした通電制御部４１を有するので、気化ヒータ４０と電気ヒータ２９の通電が同時におこらず、最大の電気容量が、電気ヒータ２９の電気容量に気化ヒータ４０の電気容量を除いた送風手段３１などの比較的電気容量の少ないものの電気容量を加えたものとなり、電源コードなどの電気部品の電気容量を低く設定することが出来る。例えば該機器２７の最大の電気容量は、電気ヒータ２９の電気容量１．２ｋｗに気化ヒータ４０の電気容量０．６ｋｗを除いた送風手段３１などの比較的電気容量の少ないものの電気容量３０ｗを加えたもの合計１．２３ｋｗとなり、これは気化ヒータ４０の電気容量０．６ｋｗを加えたもの合計１．８３ｋｗに比べ約６７％の電気容量ですむようになる。
【００７８】
つまり、気化ヒータ４０かあるいは電気ヒータ２９のどちらか一方の通電となるため、電気容量のさほど大きいものとする必要が無くなり、電気容量が大きくなることに対する安全率のマージンを大きくすることができるとともに構成を簡単とすることが出来、安価にすることができる。
【００７９】
そして、電気ヒータ２９の暖房能力は、最大燃焼時の燃焼部２１で生じる熱による暖房能力のおよそ１／２とあり、例えば、最大燃焼時の燃焼部２１で生じる熱による暖房能力を２．５ｋｗ、電気ヒータ２９の暖房能力を１．２ｋｗとしてあるので、まず燃焼による暖房で部屋が十分に暖まった状態から、電気ヒータ２９の暖房に切り替えても、部屋を暖めすぎることはなく、部屋に適した暖房をすることが出来、省エネルギー化を図ることが出来る。
【００８０】
ここで、「（社）日本ガス石油機器２７工業会の統一基準による暖房の目やす」で云われている暖房適室の基準値は、定常値の暖房負荷値に、暖房開始時の立上り時間及び厳寒時の余力を勘案して２倍にして算出されている。そして、この暖房適室から考察すると、部屋が十分に暖まったときに必要な暖房能力は、暖房開始時の立上り時間及び厳寒時の余力を勘案しなくてよいので、最大燃焼時の燃焼部２１で生じる熱による暖房能力のおよそ１／２あるいはそれ以下でよいこととなる。
【００８１】
特に部屋が充分暖まった夜間の就寝時は使用者が布団などを用いるので、さらに暖房能力を下げて使用するようになり、機器２７の暖房能力は小さくてすみ、即ち、電気ヒータ２９の暖房能力を燃焼部２１で生じる熱による暖房能力のおよそ１／２あるいはそれ以下とすることで、部屋に適した暖房をすることが出来、省エネルギー化を図ることが出来るようになる。
【００８２】
（実施例２）
図４は本発明の実施例２の暖房装置のフローチャートである。
【００８３】
制御部３８は、気化ヒータ４０と電気ヒータ２９が同時に通電されるとき、気化ヒータ４０の通電量と電気ヒータ２９の通電量が所定量を超えないように、電気ヒータ２９の通電量を制限する通電制御部４１を有する構成としてある。
【００８４】
そして、制御部３８は、気化ヒータ４０と電気ヒータ２９が同時に通電されるとき、例えば燃焼運転スイッチ３５と電気ヒータ運転スイッチ３６が同時に押されたときなど燃焼開始時に電気ヒータ２９がＯＮされた場合に、気化ヒータ４０の通電量と電気ヒータ２９の通電量の合計が所定量を超えないように、電気ヒータ２９の通電量を制限する通電制御部４１を有する構成としてあるので、気化ヒータ４０と電気ヒータ２９が同時に通電されても、最大の電気容量が制限できるようになる。
【００８５】
例えば、気化ヒータ４０と電気ヒータ２９が同時に通電されるとき、該機器２７の最大の電気容量は、電気ヒータ２９の通電量１．２ｋｗを半分に制限した０．６ｋｗに制限し気化ヒータ４０の電気容量０．６ｋｗと送風手段３１などの比較的電気容量の少ないものの電気容量３２ｗを加えたもの合計１．２３ｋｗとなり、これは電気ヒータ２９の通電を制限しない場合の合計１．８３ｋｗにと比べ約６７％の電気容量ですみ、電源コードなどの電気部品の電気容量を低く設定することが出来る。
【００８６】
つまり、実施例１の電気容量を下げると同様の効果が得られ、電気容量を小さい設定に出来、例えば電源コードなどの電気部品を低い電気容量に設定することが出来、電気容量の大きなものとする必要が無くなり、電気容量が大きくなることに対する安全率のマージンを大きくすることができるとともに構成を簡単とすることが出来、安価にすることができる。
【００８７】
また、気化ヒータ４０と電気ヒータ２９の通電が重なったとき、気化ヒータ４０と電気ヒータ２９の通電を交互に通電するなど比較的電気容量の大きい気化ヒータ４０と電気ヒータ２９の通電を間欠にすると、通電によって生じる電源電圧低下が、通電のＯＮとＯＦＦによって、生じたり生じなかったりして、つまり小刻みな電源電圧の変動をするようになるので、例えば同じコンセントからとっている電灯などはその明るさが変化しちらついたりする心配を生じる。
【００８８】
しかしながら、通電制御部４１は気化ヒータ４０の通電量と電気ヒータ２９の通電量が所定量を超えないように、気化ヒータ４０の通電量と電気ヒータ２９の通電量のどちらか一方あるいは両方の通電量を制限するようにしてあるので、気化ヒータ４０と電気ヒータ２９の通電を交互に通電するために生じる通電のＯＮとＯＦＦがないため、小刻みな電源電圧の変動がなく、例えば電球などはその明るさが変化しちらついたりする心配がなくなり、使い勝手が増すようになる。
【００８９】
（実施例３）
図５は本発明の実施例３の暖房装置の要部斜視図である。実施例１と同一部品は同一番号を付与して説明を省略する。
【００９０】
シーズヒータ方式の電気ヒータ５１は、輻射体５２を加熱するように輻射体５２に密着させる構成としてある。
【００９１】
そして、電気ヒータ５１は、輻射体５２を加熱するように輻射体５２に密着するようにしてあるので、電気ヒータ５１の通電によって、輻射体５２は加熱され輻射量が増すようになり、つまり、電気ヒータ５１の熱が広い面を有する輻射体に伝わって輻射熱として放射されるようになり、暖房感が向上する。
【００９２】
なお上記実施例１では、気化ヒータ４０と電気ヒータ２９が同時に通電しないように、気化ヒータ４０と電気ヒータ２９の通電が重なったとき、気化ヒータ４０と電気ヒータ２９への通電を交互にする構成で説明したがこれは気化ヒータ４０と電気ヒータ２９の通電時間割合を変えて例えば気化ヒータ４０の通電時間を０．５秒、電気ヒータ２９の通電時間を０．２秒間としたり、はじめは電気ヒータ２９の通電時間を気化ヒータ４０の通電時間より長くして徐々に逆転させたり、その通電バランスを変化させてもよい。また、実施例２では、気化ヒータ４０と電気ヒータ２９が同時に通電されるとき、気化ヒータ４０の通電量と電気ヒータ２９の通電量が所定量を超えないように、電気ヒータ２９の通電量を制限する構成で説明したが、これは気化ヒータ４０の通電量と電気ヒータ２９の通電量どちらか一方あるいは両方とも制限してもよく、その他各部の構成も本発明の目的を達成する範囲であればその構成はどのようなものであってもよい。
【００９３】
【発明の効果】
以上説明したように本発明の暖房装置によれば、燃焼部で生じた高温ガスを高温ガス切替手段で輻射体側か温風吹出口側へ切り替えることによって、輻射暖房モードあるいは温風暖房モードへ簡単に切り替えることができ、かつ加熱暖房手段を作動させることで速暖効果のある電気暖房モードにすることができ、単独運転あるいは同時運転が可能となるため、使用状況に応じた使い方ができるようになり、快適性の高い暖房機の実現ができるようになる。
【図面の簡単な説明】
【図１】本発明の実施例１の暖房装置の輻射暖房運転時の断面図
【図２】同暖房装置の温風暖房運転時の断面図
【図３】同暖房装置の制御ブロック図
【図４】本発明の実施例２における暖房装置のフローチャート
【図５】本発明の実施例３における暖房装置の要部斜視図
【図６】従来の暖房装置の輻射暖房運転時の断面図
【図７】同従来の暖房装置の温風暖房運転時の断面図
【図８】同従来の暖房装置の制御ブロック図
【符号の説明】
２１  燃焼部
２３  輻射体
２５  採熱面
２８  循環流排出口
２９  電気ヒータ（加熱暖房手段）
３０  温風吹出口
３１  送風手段（循環流送風手段）
３３  高温ガス切替手段
３８  制御部
４１  通電制御部
【図１】
2004286342.tif 000003
【図２】
2004286342.tif 000004
【図３】
2004286342.tif 000005
【図４】
2004286342.tif 000006
【図５】
2004286342.tif 000007
【図６】
2004286342.tif 000008
【図７】
2004286342.tif 000009
【図８】
2004286342.tif 000010